(57)【要約】【課題】装着する手首を選択できる血圧測定装置を提供すること。【解決手段】血圧測定装置１は、手首１００の動脈が存する領域と対向する位置に設けられ、左右の手首の周方向の一部の形状に倣って湾曲する端面をそれぞれ有する一対のアタッチ部４１と、一対のアタッチ部４１に着脱可能な固定具４３と、一対のアタッチ部４１の選択された一方に装着され、動脈の圧力を検出するセンシング本体４２と、を備える。【選択図】      図７
2019201984.tif 000002
【特許請求の範囲】
【請求項１】
手首の動脈が存する領域と対向する位置に設けられ、左右の手首の周方向の一部の形状に倣って湾曲する端面をそれぞれ有する一対のアタッチ部と、
前記一対のアタッチ部に設けられた固定具と、
前記一対のアタッチ部の選択された一方に装着され、前記動脈の圧力を検出する１つのセンシング本体と、
を備える血圧測定装置。
【請求項２】
前記一対のアタッチ部は、前記手首に装着したときに、前記センシング本体を同じ方向で装着できる、請求項１に記載の血圧測定装置。
【請求項３】
前記アタッチ部は前記手首の一方の動脈が存する領域と対向する位置に設けられた開口部を有し、
前記センシング本体は、前記アタッチ部に装着されたときに前記開口部に対向して配置され、前記手首の前記動脈が存する領域に接触するセンサモジュール及び前記センサモジュールを前記手首に向かって押圧する押圧機構を有するセンサユニット、並びに、前記センサユニットを収容するとともに、前記手首に装着されたときに前記手首から離間する方向に前記アタッチ部に対して移動できるケースを含む、
請求項２に記載の血圧測定装置。
【請求項４】
前記一対のアタッチ部は、前記手首の周方向で同じ方向の端部にそれぞれ軸支部を有し、
前記センシング本体は、前記軸支部に回転可能に接続され、前記アタッチ部に対して回転する回転軸を有する、
請求項３に記載の血圧測定装置。
【請求項５】
前記センシング本体は、前記センサユニットを前記手首の周方向で移動可能に収容するとともに、前記センサユニットの前記手首の周方向の位置を調整する調整手段を有する、請求項３に記載の血圧測定装置。
【請求項６】
前記開口部は、前記手首を触診可能な形状を有する、請求項３に記載の血圧測定装置。
【請求項７】
前記センサモジュールとケーブルを介して接続され、前記センサモジュールで検出された前記動脈の圧力から血圧値を算出する制御基板、前記血圧値を表示する表示部、前記制御基板を収容するとともに、前記表示部を外面に露出させる本体ケース及び前記本体ケースに設けられ、前記本体ケースを前記手首に固定する本体固定具を含む装置本体をさらに備える、請求項３乃至請求項６のいずれか一項に記載の血圧測定装置。
【請求項８】
前記ケースに設けられ、前記センサモジュールで検出された前記動脈の圧力から血圧値を算出する制御基板と、
前記ケースの外面に露出して配置され、前記血圧値を表示する表示部と、
をさらに備える請求項３乃至請求項６のいずれか一項に記載の血圧測定装置。
【発明の詳細な説明】
【技術分野】
【０００１】
本発明は、血圧を測定する血圧測定装置に関する。
【背景技術】
【０００２】
近年、血圧の測定に用いる血圧測定装置は、医療設備においてのみならず、家庭内においても、健康状態を確認する手段として利用されている。このような血圧測定装置は、例えば、オシロメトリック法を用いた技術や、トノメトリ法を用いた技術等が知られている（例えば、特許文献１参照）。
【０００３】
オシロメトリック法を用いた血圧測定装置は、例えば、生体の上腕又は手首等に巻き付けたカフの圧力を圧力センサにより検出することで、動脈壁の振動を検出して血圧を測定する。
【０００４】
トノメトリ法を用いた血圧測定装置は、例えば、一方の手首、例えば左手首の橈骨動脈が存する領域に、複数の圧力センサを含むセンサモジュールを手首に接触させ、圧力センサを手首の一方の動脈である橈骨動脈の圧力を圧力センサで検出することで一拍毎の血圧を測定することができる。
【０００５】
このような、トノメトリ法を用いる血圧測定装置は、動脈の圧力を圧力センサで測定することから、圧力センサが動脈からずれた位置に配置されると血圧測定の精度が低下するため、圧力センサの位置合わせが重要となる。このため、左手首の橈骨動脈の圧力を確実に測定できるように、左手首に接触する形状が左手首の橈骨動脈が存する領域の周方向の形状に倣う形状を有する血圧測定装置も知られている。
【先行技術文献】
【特許文献】
【０００６】
【特許文献１】特開平０１−２８８２２８号公報
【発明の概要】
【発明が解決しようとする課題】
【０００７】
しかしながら、人によって橈骨動脈、腱及び橈骨等の構造が異なることから、左腕の手首の橈骨動脈が血圧測定に好ましくない場合がある。同様に、左手首がけが等をしている場合に、血圧測定ができない場合もある。また、利き腕が左腕の場合においては、利き腕側の手首で血圧測定を行うと、活動に制限が生じる虞もある。
【０００８】
このため、血圧測定装置を右手首に装着することも考えられる。しかしながら、左手首の橈骨動脈が存する領域の周方向の形状に倣った形状の血圧測定装置を右手首に装着すると、圧力センサが右手首の橈骨動脈が存する領域に適切に接触せず、血圧測定精度が低下する虞がある。
【０００９】
そこで本発明は、装着する手首を選択できる血圧測定装置を提供することを目的とする。
【課題を解決するための手段】
【００１０】
一態様によれば、手首の動脈が存する領域と対向する位置に設けられ、左右の手首の周方向の一部の形状に倣って湾曲する端面をそれぞれ有する一対のアタッチ部と、前記一対のアタッチ部に設けられた固定具と、前記一対のアタッチ部の選択された一方に装着され、前記動脈の圧力を検出する１つのセンシング本体と、を備える血圧測定装置が提供される。
【００１１】
ここで、手首の一方の動脈が存する領域とは、手首の橈骨動脈又は尺骨動脈の一方が存する領域であり、好ましくは、橈骨動脈が存する領域である。
【００１２】
この態様によれば、一対のアタッチ部のうち、選択されたアタッチ部にセンシング本体を装着することで、血圧測定装置を左右の手首から選択した一方に装着することができる。
【００１３】
上記一態様の血圧測定装置において、前記一対のアタッチ部は、前記手首に装着したときに、前記センシング本体を同じ方向で装着できる血圧測定装置が提供される。
【００１４】
この態様によれば、血圧測定装置は、左右の手首のいずれに装着した場合であっても、センシング本体の表示部の向きが変わることがないことから、使用性を維持することができる。
【００１５】
上記一態様の血圧測定装置において、前記アタッチ部は前記手首の一方の動脈が存する領域と対向する位置に設けられた開口部を有し、前記センシング本体は、前記アタッチ部に装着されたときに前記開口部に対向して配置され、前記手首の前記動脈が存する領域に接触するセンサモジュール及び前記センサモジュールを前記手首に向かって押圧する押圧機構を有するセンサユニット、並びに、前記センサユニットを収容するとともに、前記手首に装着されたときに前記手首から離間する方向に前記アタッチ部に対して移動できるケースを含む、血圧測定装置が提供される。
【００１６】
この態様によれば、センサモジュールが手首に接触した状態でケースが移動しても、ケースは手首及びアタッチ部から離間する方向に移動するため、ケースの移動時にケースに収容されたセンサモジュールが手首及びアタッチ部に干渉することがない。このため、センサモジュールがケースの移動時に破損することを防止できる。
【００１７】
上記一態様の血圧測定装置において、前記一対のアタッチ部は、前記手首の周方向で同じ方向の端部にそれぞれ軸支部を有し、前記センシング本体は、前記軸支部に回転可能に接続され、前記アタッチ部に対して回転する回転軸を有する血圧測定装置が提供される。
【００１８】
この態様によれば、血圧測定装置は、センシング本体をアタッチ部から離間する方向に移動させるために、アタッチ部に対して一軸回りにセンシング本体を回転させることで、確実に、センシング本体をアタッチ部から離間する方向に移動させることができる。また、血圧測定装置は、軸支部及び回転軸をアタッチ部及びセンシング本体に設ける簡単な構成でよい。
【００１９】
上記一態様の血圧測定装置において、前記センシング本体は、前記センサユニットを前記手首の周方向で移動可能に収容するとともに、前記センサユニットの前記手首の周方向の位置を調整する調整手段を有する血圧測定装置が提供される。
【００２０】
この態様によれば、手首に血圧測定装置を装着した後であっても、さらに、動脈に対してセンサユニットの位置を調整することが可能となることから、好適な位置で動脈の圧力を測定することができる。
【００２１】
上記一態様の血圧測定装置において、前記開口部は、前記手首を触診可能な形状を有する血圧測定装置が提供される。
【００２２】
この態様によれば、開口部から手首の触診をすることが可能となり、血圧測定装置を手首に装着するときに、動脈を触診で探して、血圧測定装置を位置調整することが可能となり、適切な位置に血圧測定装置を装着することが容易となる。
【００２３】
上記一態様の血圧測定装置において、前記センサモジュールとケーブルを介して接続され、前記センサモジュールで検出された前記動脈の圧力から血圧値を算出する制御基板、前記血圧値を表示する表示部、前記制御基板を収容するとともに、前記表示部を外面に露出させる本体ケース及び前記本体ケースに設けられ、前記本体ケースを前記手首に固定する本体固定具を含む装置本体をさらに備える血圧測定装置が提供される。
【００２４】
この態様によれば、装置本体がセンサモジュールと別体に設けられる構成であっても、左右の手首のそれぞれに装着したときに、装置本体とセンサモジュールの位置関係を同じとすることができる。
【００２５】
上記一態様の血圧測定装置において、前記ケースに設けられ、前記センサモジュールで検出された前記動脈の圧力から血圧値を算出する制御基板と、前記ケースの外面に露出して配置され、前記血圧値を表示する表示部と、をさらに備える血圧測定装置が提供される。
【００２６】
この態様によれば、左右の手首のそれぞれに装着したときに、表示部の向きを同じとすることができる。
【発明の効果】
【００２７】
本発明は、装着する手首を選択できる血圧測定装置を提供することができる。
【図面の簡単な説明】
【００２８】
【図１】本発明の一実施形態に係る血圧測定装置の構成を示す斜視図。
【図２】同血圧測定装置の構成を示すブロック図。
【図３】同血圧測定装置のセンサ装置の構成を示す斜視図。
【図４】同血圧測定装置のセンサ装置の一部の構成を示す斜視図。
【図５】同センサ装置の一対のアタッチ部の一方を示す斜視図。
【図６】同一対のアタッチ部の他方を示す斜視図。
【図７】一対のアタッチ部を、左右の手首にそれぞれ装着した状態を示す断面図。
【図８】同血圧測定装置のセンサユニットの構成を示す斜視図。
【図９】同センサユニットの構成を示す平面図。
【図１０】同センサユニットのセンサモジュール及び空気袋の構成を示す断面図。
【図１１】同センサモジュール及び空気袋の構成を示す断面図。
【図１２】同センサモジュール及び空気袋の構成を示す断面図。
【図１３】同血圧測定装置の構成を、手首に装着した状態で示す断面図。
【図１４】同血圧測定装置の構成を、手首に装着した状態で示す断面図。
【図１５】同血圧測定装置の構成を、手首に装着した状態で示す断面図。
【図１６】同センサユニットのセンサモジュールの構成を示す断面図。
【図１７】同センサモジュールの構成を示す平面図。
【図１８】同血圧測定装置のセンサユニットの位置調整の一例を示す説明図。
【図１９】同血圧測定装置を使用した血圧測定の一例を示す流れ図。
【図２０】同血圧測定装置を使用した血圧測定の一例を示す説明図。
【図２１】同血圧測定装置を使用した血圧測定の一例を示す説明図。
【図２２】同血圧測定装置を使用した血圧測定の一例を示す説明図。
【図２３】本発明の他の実施形態に係る血圧測定装置の構成を示す斜視図。
【図２４】同血圧測定装置の構成を示すブロック図。
【図２５】同血圧測定装置を左手首に装着した状態を示す説明図。
【図２６】同血圧測定装置を右手首に装着した状態を示す説明図。
【図２７】本発明の他の実施形態に係る血圧測定装置の構成を示す斜視図。
【図２８】本発明の他の実施形態に係る血圧測定装置のアタッチ部を示す底面図。
【発明を実施するための形態】
【００２９】
［第１の実施形態］
以下、本発明の第１の実施形態に係る血圧測定装置１の一例について、図１乃至図１７を用いて以下例示する。
【００３０】
図１は、本発明の一実施形態に係る血圧測定装置１の構成を、本体固定具１６を閉じた状態で示す斜視図である。図２は、血圧測定装置１の構成を示すブロック図である。図３は、血圧測定装置１のセンサ装置５の構成をセンシング本体４２を開いた状態で示す斜視図である。図４は、血圧測定装置１のセンサ装置５からセンサユニット５２を除いた構成を示す斜視図である。図５は、センサ装置５の一対のアタッチ部４１の内、第１アタッチ部４１Ａを示す斜視図である。図６は、センサ装置５の一対のアタッチ部４１の内、第２アタッチ部４１Ｂを示す斜視図である。
【００３１】
図７は、第１アタッチ部４１Ａ及び第２アタッチ部４１Ｂを、左右のそれぞれの手首に装着された状態を示す断面図である。図８は、血圧測定装置１のセンサユニット５２の構成を示す斜視図である。図９は、センサユニット５２の構成を示す平面図である。図１０は、図９中Ｘ−Ｘ線断面でセンサユニット５２のセンサモジュール６３及び空気袋６２の構成を示す断面図である。図１１は、図９中ＸＩ−ＸＩ線断面でセンサモジュール６３及び空気袋６２の構成を示す断面図である。図１２は、図９中ＸＩＩ−ＸＩＩ線断面でセンサモジュール６３及び空気袋６２の構成を示す断面図である。図１３乃至図１５は、血圧測定装置１の構成を手首１００に装着した状態示す断面図である。図１６は、センサユニット５２のセンサモジュール６３の構成を示す断面図である。図１７は、センサユニット５２のセンサモジュール６３の構成を示す平面図である。
【００３２】
なお、各図面において、手首１００の橈骨動脈を１１０、橈骨を１１１、尺骨動脈を１１２、尺骨を１１３、腱を１１４で示す。
【００３３】
血圧測定装置１は、生体の手首１００に装着し、橈骨動脈１１０の圧力から血圧値を算出する電子血圧測定装置である。図１乃至図１４に示すように、例えば、血圧測定装置１は、装置本体４と、センサ装置５と、を備えている。例えば、血圧測定装置１は、手首１００の橈骨動脈１１０が存する領域にセンサ装置５が装着され、そして、センサ装置５の肘側に隣接して装置本体４が手首１００に装着される。
【００３４】
このような血圧測定装置１は、センサ装置５で橈骨動脈１１０を圧扁することにより、橈骨動脈１１０の心拍に連動して変化する一心拍ごとの圧脈波の圧力を測定し、測定した圧力を装置本体４によってトノメトリ法に基づいて処理を行い、血圧を求める。
【００３５】
図１及び図２に示すように、装置本体４は、本体ケース１１と、操作部１２と、表示部１３と、ポンプ１４と、制御基板１５と、本体固定具１６と、を備えている。また、例えば、装置本体４は、本体固定具１６にカフを備え、血圧測定時に手首１００を圧迫する構成であってもよい。
【００３６】
本体ケース１１は、操作部１２の一部、表示部１３の一部、制御基板１５を収容するとともに、操作部１２の一部及び表示部１３の一部を外面から露出させる。また、本体ケース１１は、本体固定具１６が取り付けられる。
【００３７】
操作部１２は、使用者からの指令を入力可能に構成される。例えば、操作部１２は、本体ケース１１に設けられた複数の釦２１と、釦２１の操作を検出するセンサと、を備えている。なお、操作部１２は、タッチパネルとし、表示部１３に設けてもよい。操作部１２は、使用者が操作することで、指令を電気信号に変換する。釦２１の操作を検出するセンサは、電気的に制御基板１５に接続され、電気信号を制御基板１５へ出力する。
【００３８】
表示部１３は、本体ケース１１に、本体ケース１１の外面から露出して配置される。表示部１３は、電気的に制御基板１５に接続される。表示部１３は、例えば、液晶ディスプレイ又は有機エレクトロルミネッセンスディスプレイである。表示部１３は、日時や最高血圧及び最低血圧などの血圧値や心拍数等の測定結果を含む各種情報を表示する。
【００３９】
ポンプ１４は、例えば圧電ポンプである。ポンプ１４は、センサ装置５に接続されるチューブ１４ａを有し、空気を圧縮し、チューブ１４ａを介して圧縮空気をセンサ装置５に供給する。ポンプ１４は、電気的に制御基板１５に接続される。
【００４０】
図２に示すように、制御基板１５は、例えば、通信部３１と、記憶部３２と、制御部３３と、を備えている。制御基板１５は、通信部３１、記憶部３２及び制御部３３が基板に実装されることで構成される。また、制御基板１５は、センサ装置５とケーブル１５ａを介して接続される。ケーブル１５ａは、本体ケース１１内から本体ケース１１の外面の一部を介して外部に配される。例えば、ケーブル１５ａは、本体ケース１１内から本体ケース１１の側面に設けられた開口を介してセンサ装置５に配される。
【００４１】
通信部３１は、外部の装置と無線又は有線によって情報を送受信可能に構成される。通信部３１は、例えば、制御部３３によって制御された情報や測定された血圧値及び脈拍等の情報を、ネットワークを介して外部の装置へ送信し、また、外部の装置からネットワークを介してソフトウェア更新用のプログラム等を受信して制御部に送る。
【００４２】
本実施形態において、ネットワークは、例えばインターネットであるが、これに限定されず、病院内に設けられたＬＡＮ（Local Area Network）等のネットワークであってもよく、また、ＵＳＢ等の所定の規格の端子を有するケーブル等を用いた外部の装置と直接的な有線通信であってもよい。このため、通信部３１は、無線アンテナ及びマイクロＵＳＢコネクタ等の複数を含む構成であってもよい。
【００４３】
記憶部３２は、血圧測定装置１全体を制御するためのプログラムデータ、血圧測定装置１の各種機能を設定するための設定データ、感圧素子７１ｃで測定された圧力から血圧値や脈拍を算出するための算出データ等を予め記憶する。また、記憶部３２は、算出された血圧値、脈拍及びこれら算出されたデータと時間とを関連付けた時系列データ等の情報を記憶する。
【００４４】
制御部３３は、例えば、単数又は複数のＣＰＵ（Central Processing Unit）により構成され、血圧測定装置１全体の動作を制御するとともに、プログラムデータに基づいて各処理を行う。制御部３３は、操作部１２、表示部１３、ポンプ１４及びセンサ装置５に電気的に接続されるとともに、各構成の動作の制御、信号の送受信又は電力の供給を行う。
【００４５】
本体固定具１６は、例えば、一つ又は複数の帯状のバンドと、バンドを手首１００に巻き付けて固定する面ファスナー等の固定部材と、を含み、本体ケース１１を手首１００に固定する。
【００４６】
このような装置本体４は、記憶部３２に記憶されたプログラムデータを用いて制御部３３が処理を行うことで、センサ装置５で検出した橈骨動脈１１０の脈波から血圧データを連続的に生成する。血圧データは、測定した脈波の波形に対応する血圧波形のデータを含む。血圧データは、血圧特徴量（血圧値）の時系列データをさらに含んでもよい。血圧特徴量は、例えば、収縮期血圧（ＳＢＰ；Systolic Blood Pressure）および拡張期血圧（ＤＢＰ；Diastolic Blood Pressure）を含むが、これに限定されない。一心拍分の脈波波形における最大値は収縮期血圧に対応し、一心拍分の脈波波形における最小値は拡張期血圧に対応する。
【００４７】
本実施形態では、装置本体４は、トノメトリ法により脈波としての圧脈波を測定する。ここで、トノメトリ法とは、皮膚の上から橈骨動脈１１０を適切な圧力で押圧して動脈に扁平部を形成し、橈骨動脈１１０の内部及び外部のバランスがとれた状態でセンサ装置５により圧脈波を計測する方法をいう。トノメトリ法によれば、一心拍ごとの血圧値を得ることができる。
【００４８】
図１、図３乃至図７に示すように、センサ装置５は、一対のアタッチ部４１と、センシング本体４２と、固定具４３と、を備えている。
【００４９】
一対のアタッチ部４１は、一方が左手首１００Ａに装着され、他方が右手首１００Ｂに装着される。以下、左手首１００Ａに装着されるアタッチ部４１を第１アタッチ部４１Ａとし、右手首１００Ｂに装着されるアタッチ部４１を第２アタッチ部４１Ｂとして説明するとともに、これらアタッチ部４１Ａ、４１Ｂの共通事項についてはアタッチ部４１として説明する。
【００５０】
アタッチ部４１は、一方の主面が手首１００の橈骨動脈１１０が存する領域の手首１００の周方向に倣った形状を有する。具体例として、アタッチ部４１は、手首１００と接する領域が手首１００の周方向の形状に倣って湾曲する基部４１ａと、基部４１ａに形成された開口部４１ｂと、基部４１ａに設けられ、センシング本体４２を取り付ける取付部４１ｃと、基部４１ａの手首１００と当接する主面に設けられたクッション４１ｄと、を含む。
【００５１】
ここで、第１アタッチ部４１Ａ及び第２アタッチ部４１Ｂは、基部４１ａ、開口部４１ｂ及び取付部４１ｃが同形状に構成されるが、手首１００に装着した姿勢において、基部４１ａ及び開口部４１ｂが対称に配置され、そして、取付部４１ｃが非対称に配置される。即ち、第１アタッチ部４１Ａ及び第２アタッチ部４１Ｂは、手首１００に装着した姿勢において、取付部４１ｃが非対称形状に形成されるとともに、他の形状が対称形状に形成される。
【００５２】
また、一対のアタッチ部４１は、第１アタッチ部４１Ａ及び第２アタッチ部４１Ｂを判断可能な判断手段を有する。判断手段は、例えば、アタッチ部４１の色であり、一対のアタッチ部４１を異なる色で構成される。例えば、判断手段は、アタッチ部４１の一部の色を変えることで構成されていてもよく、また、アタッチ部４１全体の色を変えることで構成されていてもよい。また、アタッチ部４１の色を異ならせる方法としては、アタッチ部４１を構成する材料、例えば樹脂材料を染色してもよく、また、表面に塗料を塗布する構成であってもよい。なお、判断手段は、これに限定されず、例えば、アタッチ部４１の外面に右又は左といったような文字や、左右が判断できる模様を印刷してもよく、また、外面の一部に、左右の判断ができる突起を設けて、触れることで左右が判断できる構成としてもよい。
【００５３】
基部４１ａは、一方向に長く構成される。基部４１ａは、手首１００の手の平側、及び、手首１００の橈骨１１１側の側部側に配置され、手首１００の手の平側、及び、手首１００の橈骨１１１側の側部側の周方向の形状に倣って手首１００側に配置される主面が湾曲する。また、基部４１ａは、少なくとも外周縁側の主面がセンシング本体４２と当接する。
【００５４】
ここで、図５乃至図７に示すように、手首１００の橈骨動脈１１０が配される領域の形状は、差異があるものの左手首１００Ａ及び右手首１００Ｂが略対称形状を構成する。このため、第１アタッチ部４１Ａの基部４１ａ及び第２アタッチ部４１Ｂの基部４１ａは、図５乃至図７に示すように、同形状に構成され、そして、各手首１００Ａ、１００Ｂに装着された姿勢で対称に配置される。
【００５５】
開口部４１ｂは、基部４１ａの中央側に設けられ、指を単数又は複数本配置できる大きさに形成される。即ち、開口部４１ｂは、センサ装置５が手首１００に装着されたときに、指により開口部４１ｂから露出する手首１００の橈骨動脈１１０が存する領域を触診可能、且つ、センシング本体４２の一部が手首１００に接触できる大きさに形成される。
【００５６】
取付部４１ｃは、基部４１ａの手首１００と対向する面と反対の主面であって、且つ、基部４１ａの長手方向で一端側に設けられる。取付部４１ｃは、センシング本体４２を保持するとともに、基部４１ａから離間する方向及び基部４１ａへ近接する方向に、センシング本体４２を移動可能に構成される。具体例として、取付部４１ｃは、センシング本体４２を一軸周りで回転可能に軸支する軸支部である。例えば、取付部４１ｃは、基部４１ａに一体に形成される。
【００５７】
クッション４１ｄは、例えば、基部４１ａの手首１００と当接する主面に設けられた発泡性樹脂材料によりシート状に構成された弾性体である。クッション４１ｄは、例えば、血圧測定装置１を手首１００に装着したときに、弾性変形することで、手首１００を保護する。
【００５８】
ここで、装置本体４とセンシング本体４２との位置関係が求められるところ、第１アタッチ部４１Ａの取付部４１ｃ及び第２アタッチ部４１Ｂの取付部４１ｃは、図７に示すように、手首１００にそれぞれセンサ装置５が装着された状態において、装置本体４及びセンシング本体４２の位置関係を同一の位置関係とすることができる構成である。具体的には、左右の手首１００にセンサ装置５が装着された状態において、取付部４１ｃは、手首１００の周方向で同一側の端部に設けられる。換言すると、第１アタッチ部４１Ａの取付部４１ｃ及び第２アタッチ部４１Ｂの取付部４１ｃは、図７に示すように、同形状に構成され、そして、各手首１００Ａ、１００Ｂに装着された姿勢で非対称に配置される。
【００５９】
図２乃至図１７に示すように、センシング本体４２は、ケース５１と、センサユニット５２と、センサユニット５２の位置を調整する調整手段５３と、を備えている。
【００６０】
ケース５１は、例えば、アタッチ部４１に対向する面が開口する矩形箱状に構成される。ケース５１は、センサユニット５２及び調整手段５３を保持する。また、ケース５１は、基部４１ａから離間する方向に沿って往復可能、且つ、回転可能に、一対のアタッチ部４１の選択された一方のアタッチ部４１の取付部４１ｃに取り付けられる。また、ケース５１は、取付部４１ｃに着脱自在に構成される。
【００６１】
具体例として、ケース５１は、取付部４１ｃに回転可能、且つ、着脱可能に設けられる回転軸５１ａを有する。また、ケース５１は、基部４１ａに当接したときに、ケース５１を基部４１ａに固定する係合部５１ｂを有する。係合部５１ｂは、例えば、基部４１ａに設けられた開口と係合する突起であり、操作されることで、基部４１ａの開口と係合が解除可能に構成される。
【００６２】
さらに、ケース５１は、チューブ１４ａを配置する第１孔部５１ｃと、ケーブル１５ａを配置する第２孔部５１ｄと、調整手段５３の一部を移動可能に支持する第３孔部５１ｅと、センサユニット５２の移動を案内する案内溝５１ｆと、を備えている。
【００６３】
第１孔部５１ｃ及び第２孔部５１ｄは、手首１００に装着したときに装置本体４と隣接するケース５１の同じ側壁に設けられる。
【００６４】
第３孔部５１ｅは、第１孔部５１ｃ及び第２孔部５１ｄが設けられるケース５１の側壁と対向する側壁に設けられる。第３孔部５１ｅは、ケース５１の長手方向、換言すると、手首１００にセンサ装置５が装着されたときに手首１００の周方向に直線状に延びる矩形状の開口である。
【００６５】
案内溝５１ｆは、第３孔部５１ｅが設けられるケース５１の側壁の内面側に設けられる。案内溝５１ｆは、ケース５１の開口する端部から当該開口と対向する天壁に向かって中途部まで延設された第１溝５１ｆ１と、第１溝５１ｆ１と直交する方向に延設された第２溝５１ｆ２と、を含む。第２溝５１ｆ２は、一端が第１溝５１ｆ１と連続し、この一端から他端までがケース５１の長手方向一方側へ向かって延びる。
【００６６】
センサユニット５２は、可動ケース６１と、空気袋６２と、センサモジュール６３と、センサモジュール６３を可動ケース６１に対して一方向に沿って移動可能に保持する可動ベース６４と、を備えている。センサユニット５２は、調整手段５３によってケース５１の長手方向に沿って所定の範囲で移動可能にケース５１に保持される。
【００６７】
可動ケース６１は、センサモジュール６３及び可動ベース６４を収容し、且つ、センサモジュール６３が保持された可動ベース６４をアタッチ部４１の開口部４１ｂに向かって移動可能に保持する。可動ケース６１は、ケース５１内に、ケース５１の長手方向に沿って移動可能に保持される。
【００６８】
具体例として、可動ケース６１は、空気袋６２及びセンサモジュール６３を収容するアタッチ部４１に対向する面が開口する矩形箱状に構成される。可動ケース６１は、空気袋６２、センサモジュール６３及び可動ベース６４を収容する。可動ケース６１は、天壁及び可動ベース６４の間に空気袋６２を配置する。可動ケース６１は、センサモジュール６３が可動ケース６１の開口から出没可能に、可動ベース６４を一方向に移動可能に保持する。
【００６９】
可動ケース６１は、ケース５１の案内溝５１ｆが設けられる側壁と対向する側壁の外面に、案内溝５１ｆを移動可能に配置される案内突起６１ａと、調整手段５３の一部が固定される固定部６１ｂと、を含む。案内突起６１ａが第２溝５１ｆ２に沿って移動することで、可動ケース６１がケース５１の長手方向に沿って移動する。
【００７０】
空気袋６２は、蛇腹構造を有する。空気袋６２は、チューブ１４ａを介してポンプ１４に流体的に接続される。空気袋６２は、図１０乃至図１５に示すように、可動ケース６１の天壁から開口へ向かう方向へ膨張する。空気袋６２は、膨張することで、センサモジュール６３が可動ケース６１内に収容された位置から、センサモジュール６３が可動ケース６１の開口から突出してアタッチ部４１の開口部４１ｂから手首１００に触れる位置まで、センサモジュール６３を移動させる。空気袋６２は、例えば、ポリウレタンにより成形される。このような空気袋６２は、ポンプ１４とともにセンサモジュール６３を手首１００に向かって押圧する押圧機構を構成する。
【００７１】
センサモジュール６３は、図１６及び図１７に示すように、圧力センサ部７１と、圧力センサ部７１を保持するセンサベース７２と、センサベース７２を覆い、圧力センサ部７１と対向する領域に開口７３ａを有するセンサヘッドカバー７３と、センサヘッドカバー７３の開口７３ａに設けられる軟質部７４と、を備えている。
【００７２】
センサモジュール６３は、可動ケース６１内に配置され、可動ケース６１の天壁及び開口の対向方向に沿って所定の移動範囲内で移動可能に可動ケース６１に保持される。即ち、センサモジュール６３は、可動ケース６１内で移動可能に保持されるとともに、可動ケース６１の開口から一定以上突出する位置まで移動したときにストッパー等の規制手段によってその移動が規制される。
【００７３】
圧力センサ部７１は、フレキシブル基板７１ａと、フレキシブル基板７１ａに搭載された基板７１ｂと、基板７１ｂ上に搭載された複数の感圧素子７１ｃと、を備える。フレキシブル基板７１ａは、ケーブル１５ａに接続され、ケーブル１５ａを介して制御基板１５に電気的に接続される。
【００７４】
基板７１ｂ及び複数の感圧素子７１ｃは、センサチップを構成する。複数の感圧素子７１ｃは、一方向に配置されることで感圧素子列７１ｄを構成する。感圧素子列７１ｄは、単数又は複数設けられる。感圧素子列７１ｄが複数設けられる場合には、複数の感圧素子列７１ｄは、複数の感圧素子７１ｃの並び方向に直交する方向に所定の間隔を開けて配置される。
【００７５】
また、圧力センサ部７１は、複数の感圧素子７１ｃが配置される一方向が手首１００の幅方向なるように、センサベース７２に配置される。圧力センサ部７１は、ケーブル１５ａを介して、複数の感圧素子７１ｃで測定した圧力値を制御基板１５に送信する。
センサベース７２は、圧力センサ部７１及び圧力センサ部７１に接続されるケーブル１５ａを保持する。センサベース７２は、一方の主面にセンサヘッドカバー７３が嵌合されるとともに、センサヘッドカバー７３の開口７３ａと対向する領域に圧力センサ部７１を保持する。センサベース７２は、他方の主面に、可動ベース６４が固定される。
【００７６】
センサヘッドカバー７３は、端面が手首１００に接触する。軟質部７４は、センサヘッドカバー７３の開口７３ａに設けられ、感圧素子７１ｃを保護する。開口７３ａは、例えば、矩形状に構成される。
【００７７】
軟質部７４は、例えば、開口７３ａ内にシリコーン樹脂等の比較的軟質な樹脂材料が注入されることで成形される。軟質部７４の端面は、センサヘッドカバー７３の端面と面一に構成される。なお、軟質部７４は、手首１００と接触し、感圧素子７１ｃで橈骨動脈１１０の圧力を検出可能な材料で形成されていればよく、軟質部７４の厚さや手首１００に接触する形状や材料は適宜設定可能である。
【００７８】
可動ベース６４は、可動ケース６１内に、血圧測定装置１が手首１００に装着された状態で、手首１００に対して近接及び離間する一方向に沿って移動可能に保持される。例えば、可動ベース６４は、可動ケース６１内に設けられた複数の円柱状の部材に沿って移動可能に構成される。可動ベース６４は、手首１００側の端部がセンサベース７２と固定されることで、可動ケース６１に対してセンサベース７２を一方向に沿って移動可能に、センサベース７２を保持する。
【００７９】
調整手段５３は、図１８に示すように、ケース５１に対してセンサユニット５２の位置を、手首１００の周方向で調整可能に構成される。調整手段５３は、ケース５１の外面に位置するとともに、一部が第３孔部５１ｅを介して可動ケース６１の固定部６１ｂに固定される調整用摘まみ５３ａを有する。また、調整手段５３は、ケース５１の第３孔部５１ｅに隣接して設けられた目盛５３ｂと、調整用摘まみ５３ａに設けられ、目盛５３ｂを指し示す指示部５３ｃと、を有する。
【００８０】
調整用摘まみ５３ａは、可動ケース６１に固定されることで、センサユニット５２に接続される。調整用摘まみ５３ａは、センサユニット５２を移動可能に構成される。即ち、調整手段５３は、調整用摘まみ５３ａを第３孔部５１ｅの長手方向に移動させることで、センサユニット５２を、第２溝５１ｆ２に沿って移動させて、ケース５１に対する位置を調整する調整機構である。
【００８１】
目盛５３ｂ及び指示部５３ｃは、調整用摘まみ５３ａの位置、即ち、調整用摘まみ５３ａに接続されたセンサユニット５２の位置を視認可能に表示する表示部である。
【００８２】
固定具４３は、例えば、一つ又は複数の帯状のバンドと、バンドを手首１００に巻き付けて固定する面ファスナー等の固定部材と、を含み、アタッチ部４１及びセンシング本体４２を手首１００に固定する。なお、固定具４３は、尾錠を有する親と呼ばれる第１ベルト、及び、尾錠に固定される剣先と呼ばれる第２ベルトにより構成されていてもよい。また、固定具４３は、ケース５１に巻き付けられることで、ケース５１をアタッチ部４１に固定する構成をさらに有していても良い。
【００８３】
即ち、固定具４３は、空気袋６２の膨張によってセンサモジュール６３が手首１００を押圧したときの反発力が可動ケース６１に加わり、可動ケース６１により直接的に又は可動ケース６１から調整用摘まみ５３ａを介して間接的にケース５１が押圧されて、ケース５１がアタッチ部４１から離間する方向に移動することを防止可能であってもよい。
【００８４】
次に、血圧測定装置１を使用した血圧値の測定の一例について、図１９乃至図２２を用いて説明する。図１９は、血圧測定装置１を用いた血圧測定の一例を示す流れ図であり、ユーザの動作及び制御部３３の動作の双方を示す。図２０乃至図２２は、血圧測定装置１を使用した血圧測定の一例を示す説明図である。
【００８５】
まず、ユーザの手首１００の状況により、センサ装置５を装着する手首１００を選択し、一対のアタッチ部４１の選択した一方にセンシング本体４２を装着する（ステップＳＴ１）。例えば、医者がユーザの手首１００のけがの有無や、左右の手首１００の橈骨１１１、橈骨動脈１１０及び腱１１４の配置関係等により、センサ装置５を装着する手首１００を選択する。
【００８６】
次に、ユーザは、選択された手首１００に、当該手首１００に対応するアタッチ部４１が装着されたセンサ装置５、及び、装置本体４を装着する。次に、ユーザは、選択された手首１００に橈骨動脈１１０の位置を触診で探す（ステップＳＴ２）。例えば、このとき、橈骨動脈１１０上の皮膚にペンで線を引くことで目印を付けてもよい。
【００８７】
次に、ユーザは、センサ装置５のセンシング本体４２をアタッチ部４１から離間させる。本実施形態においては、ユーザは、係合部５１ｂを操作してケース５１及び基部４１ａの固定を解除し、回転軸５１ａを中心に、アタッチ部４１から離間する方向にセンシング本体４２を回転させる。
【００８８】
次にユーザは、図２０に示すように、装置本体４及びセンサ装置５を装着する（ステップＳＴ３）。具体例として、先ず、ユーザは、装置本体４の本体固定具１６及びセンサ装置５の固定具４３に手首１００を通し、装置本体４及びセンサ装置５を手首１００の所定の位置に配置する。次いで、装置本体４の本体固定具１６を締め付けて、手首１００に装置本体４を固定する。このとき、装置本体４の本体固定具１６にカフを設ける構成である場合には、手首１００の皮膚が本体固定具１６（カフ）に挟まっていないか、及び、本体固定具１６（カフ）が緩まっていないかを確認する。次いで、センサ装置５のアタッチ部４１の開口部４１ｂが手首１００の橈骨動脈１１０に位置するように、センサ装置５の位置を調整する。さらに、ユーザは、開口部４１ｂに橈骨動脈１１０が位置した状態を維持しながら、センサ装置５の固定具４３を締め付けて、手首１００にセンサ装置５を固定する。
【００８９】
次いで、ユーザは、図２１に示すように、アタッチ部４１の開口部４１ｂから手首１００の触診を行い（ステップＳＴ４）、橈骨動脈１１０が開口部４１ｂに位置することを再度確認する。次いで、ユーザは、図２２に示すように、センシング本体４２をアタッチ部４１に近接する方向に回転させて、係合部５１ｂによりセンシング本体４２をアタッチ部４１に固定する。なお、センシング本体４２の位置が橈骨動脈１１０からずれている場合には、調整用摘まみ５３ａを操作して、センシング本体４２の位置を調整する。
【００９０】
次いで、ユーザは、操作部１２を操作して、血圧測定の指令を行う。制御部３３は、血圧測定の指令に基づいて、血圧を測定する（ステップＳＴ５）。このとき、制御部３３は、ポンプ１４を駆動制御し、空気袋６２を膨張させることで、図１０及び図１３に示すように、センサモジュール６３が可動ケース６１内に収容された状態から、図１１及び図１４に示すように漸次手首１００に向かって移動し、図１２及び図１５に示すようにセンサモジュール６３のセンサヘッドカバー７３及び軟質部７４が手首１００の橈骨動脈１１０が存する領域を押圧する。センサヘッドカバー７３及び軟質部７４が手首１００の当該領域を押圧することで、図１５に示すように、橈骨動脈１１０が適切な圧力で押圧されることから橈骨動脈１１０に扁平部が形成される。この状態で、圧力センサ部７１の各感圧素子７１ｃが圧脈波を測定する。
【００９１】
なお、制御部３３は、圧力センサ部７１で検出された橈骨動脈１１０の圧脈波からトノメトリ法によって血圧を求める。なお、血圧測定前に、制御部３３は、記憶部３２に記憶されたプログラムデータに基づいて、校正用の血圧測定を行ってもよく、また、装置本体４やセンサ装置５の装着状態及び圧力センサ部７１の位置が正しいか否かの判定を行ってもよい。
【００９２】
このように構成された血圧測定装置１によれば、センサ装置５は、取付部４１ｃにセンシング本体４２のケース５１を着脱可能とし、そして、左右の手首１００Ａ、１００Ｂにそれぞれ対応した形状を有する一対のアタッチ部４１を有する。このため、センサ装置５は、血圧測定を行う手首１００を左右の手首１００Ａ、１００Ｂから選択し、選択した手首１００に対応した第１アタッチ部４１Ａ又は第２アタッチ部４１Ｂをセンサ装置５に用いることができる。
【００９３】
即ち、アタッチ部４１を選択し、当該選択したアタッチ部４１にセンシング本体４２を装着することで、左右の手首１００のどちらにおいても、適切に血圧測定を行うことができる。
【００９４】
このため、血圧測定装置１は、好ましく血圧測定ができる手首１００を選択することができることから、血圧を一定の精度で測定することができる。また、センサ装置５は、ユーザの手首１００の状態に応じて装着する手首１００を選択できることから、自由度が高く、高い使用性を有する。
【００９５】
また、センサ装置５を手首１００に装着した状態において、第１アタッチ部４１Ａ及び第２アタッチ部４１Ｂは、取付部４１ｃが手首１００の周方向で同じ側の端部に設けられる構成である。このため、センサ装置５は、センシング本体４２を第１アタッチ部４１Ａ及び第２アタッチ部４１Ｂのどちらに装着した状態であっても、センシング本体４２の向きを一定とすることができる。このため、センサ装置５を左右の手首１００Ａ、１００Ｂのいずれに装着した場合であっても、装置本体４とセンサ装置５のセンシング本体４２の配置関係を一定とすることができる。
【００９６】
結果、制御基板１５及びセンシング本体４２がケーブル１５ａで接続され、そして、ポンプ１４及び空気袋６２がチューブ１４ａで接続される構成であっても、装置本体４をセンサ装置５の肘側に隣接させて、装置本体４及びセンサ装置５を手首１００に装着することができる。これにより、左右の手首１００のどちらに装着した場合であっても、血圧測定装置１は、同じ使用性を有する。また、装置本体４及びセンサ装置５の配置する距離も変わらないことから、チューブ１４ａ及びケーブル１５ａの長さも最短の長さで良い。
【００９７】
また、アタッチ部４１に触診可能な大きさの開口部４１ｂを設けることで、センサ装置５を装着した状態で、手首１００を触診できることから、センサ装置５が所定の位置に装着されているか否かを容易に判断することができる。即ち、開口部４１ｂから手首１００の触診をすることが可能となり、血圧測定装置１のセンサ装置５を手首１００に装着するときに、センサ装置５を手首１００に仮装着した状態で橈骨動脈１１０を触診で探して、センサ装置５を位置調整し、その後、本装着することが可能となる。
【００９８】
結果、適切な位置に血圧測定装置１を装着することが容易となる。また、センサ装置５は、調整手段５３を備える構成であることから、手首１００にセンサ装置５を本装着した後であっても、さらに、調整用摘まみ５３ａを操作することで、橈骨動脈１１０に対してセンサユニット５２の位置を調整することが可能となることから、好適な位置で橈骨動脈１１０の圧力を測定することができる。
【００９９】
また、センサ装置５は、センシング本体４２がアタッチ部４１に対して離間する方向に移動可能な構成として、一軸周りにセンシング本体４２がアタッチ部４１に対して回転する構成である。このため、センシング本体４２を移動させるときに、センシング本体４２に設けられたセンサモジュール６３は、アタッチ部４１の開口部４１ｂから離間する方向に移動する。
【０１００】
これにより、センシング本体４２をアタッチ部４１に対して移動させるときに、センサモジュール６３が手首１００やアタッチ部４１に接触した状態で移動することを防止できる。具体的に説明すると、センサユニット５２は、空気袋６２によってセンサモジュール６３のセンサヘッドカバー７３及び軟質部７４が手首１００を適切に押圧可能な位置に可動ケース６１の開口から突出する状態で血圧が測定される。
【０１０１】
このような状態でセンシング本体４２がアタッチ部４１に対して移動しても、センシング本体４２は、センサモジュール６３が手首１００から離間する方向に移動するため、センサヘッドカバー７３の端面及び軟質部７４が手首１００又はアタッチ部４１に接触した状態でセンシング本体４２が移動することない。このため、センシング本体４２を移動させるときに、センサモジュール６３が他の構成や手首１００と干渉して損傷することや、手首１００に負担を掛けることを防止できる。
【０１０２】
このように、センサ装置５は、アタッチ部４１に触診可能な形状の開口部４１ｂを設けるとともに、アタッチ部４１及び手首１００から離間する方向にセンシング本体４２を移動可能とすることで、センサモジュール６３が破損することを防止するとともに、安全性を向上することができる。
【０１０３】
また、センサ装置５は、アタッチ部４１に対してセンシング本体４２を一軸周りに回転させる構成であることから、アタッチ部４１に取付部４１ｃを設け、取付部４１ｃに軸支される回転軸５１ａをセンシング本体４２に設ける簡単な構成でよい。このため、アタッチ部４１に対して一方向にスライドさせる構成等と比較して、センサ装置５は、簡単な構成となり、安価に製造することが可能となる。
【０１０４】
また、センサ装置５は、アタッチ部４１の長手方向の一端側において、センシング本体４２がアタッチ部４１に対して回転する構成であることから、アタッチ部４１の上面の略全領域を外部に露出させることができる。このため、アタッチ部４１の開口部４１ｂが全て露出することから、触診を行うために必要な開口部４１ｂの形状を極力小さくすることができる。また、センサ装置５は、アタッチ部４１に対してセンシング本体４２をスライドさせるためのレール構造やスライド移動後にアタッチ部４１にセンシング本体４２を保持するための構造を要しない。このため、センサ装置５は、手首１００の幅方向の形状を極力小さくすることができることから、小型化とすることができる。
【０１０５】
また、一対のアタッチ部４１は、左手首１００Ａ及び右手首１００Ｂのいずれに装着されるアタッチ部４１であるかを判断する判断手段を備える構成されることで、誤って一方の手首１００に対応したアタッチ部４１を有するセンサ装置５を他方の手首１００に装着することを防止できる。なお、ユーザがセンサ装置５を装着する手首１００を医者が選択する場合には、医者が当該判断手段に基づいて該当するアタッチ部４１をユーザに渡せば、ユーザが左右を混同し、誤った側の手首１００にセンサ装置５を装着することを防止できる。また、ユーザがセンサ装置５を装着する手首１００を選択する場合には、ユーザが当該判断手段に基づいて該当するアタッチ部４１にセンシング本体４２及び固定具４３を装着することで、その後、誤った側の手首１００にセンサ装置５を装着することを防止できる。
【０１０６】
上述したように本発明の一実施形態に係る血圧測定装置１によれば、左右の手首１００に対応した一対のアタッチ部４１を設け、アタッチ部４１にセンシング本体４２を着脱可能としたことで、装着する手首１００を選択できる。
【０１０７】
なお、本発明は上記実施形態に限定されない。上述した例では、血圧測定装置１は、装置本体４及びセンサ装置５を別体に備える構成を説明したがこれに限定されない。例えば、図２３乃至図２４に示すように、血圧測定装置１は、装置本体４及びセンサ装置５が一体に構成されていてもよい。例えば、このような構成の血圧測定装置１は、センシング本体４２のケース５１に、装置本体４に用いられる操作部１２、表示部１３、ポンプ１４及び制御基板１５を設ける構成とすればよい。また、血圧測定装置１は、アタッチ部４１を一対有する。
【０１０８】
これにより、一対のアタッチ部４１から選択した手首１００に該当するアタッチ部４１を用いることで、左右の手首１００のいずれに装着した場合であっても、センシング本体４２の姿勢は同じとなる。結果、図２５及び図２６に示すように、左右の手首１００のいずれに装着した場合であっても、センシング本体４２のケース５１に設けられた表示部１３は、同じ向きとなることから、表示部１３に表示される情報は、同じ方向に表示される。結果、血圧測定装置１は、表示部１３の視認性を維持できるとともに、表示部１３の表示方向を切り換えるプログラムを用いた制御を行う必要がない。
【０１０９】
また、上述した例では、血圧測定装置１は、アタッチ部４１に対してセンシング本体４２が離間する方向及び近接する方向に移動する構成として、一軸周りにセンシング本体４２がアタッチ部４１に対して回転する構成を説明したがこれに限定されない。例えば、図２７に示すように、血圧測定装置１は、アタッチ部４１に対してセンシング本体４２が離間する方向及び近接する方向に移動する構成として、アタッチ部４１及びセンシング本体４２が分離する構成としてもよい。このような構成の血圧測定装置１とする場合には、例えば、センシング本体４２のケース５１の複数箇所に係合部５１ｂを設け、複数位置でセンシング本体４２をアタッチ部４１に係合させる構成とすればよい。
【０１１０】
また、上述した例では、血圧測定装置１は、橈骨動脈１１０の圧力を測定し、トノメトリ法によって血圧を求める構成を説明したがこれに限定されず、例えば、尺骨動脈１１２の圧力を測定する構成であってもよい。また、血圧測定装置１は、トノメトリ法以外の方法により血圧を求める構成であってもよい。即ち、血圧測定装置１は、手首１００と接触するセンサモジュール６３をアタッチ部４１の開口部４１ｂ及び手首１００に対して移動可能であって、他の構成や手首１００と接触した状態でセンシング本体４２が移動する構成であればよい。同様に、血圧を測定する装置に限らず、脈波を測定する装置等の他の測定法を用いる装置に用いることもできる。
【０１１１】
さらに、上述した例では、アタッチ部４１の開口部４１ｂを手首１００を触診可能な形状である構成を説明したがこれに限定されない。即ち、例えば、図２８に示すように、アタッチ部４１の開口部４１ｂは、調整手段５３によって位置が調整される範囲においてセンサユニット５２が開口部４１ｂを超えて手首１００に接触することができる形状であってもよい。
【０１１２】
また、上述した例では、センサユニット５２は、センサモジュール６３のセンサベース７２が可動ケース６１内を移動可能な可動ベース６４により保持される構成を説明したがこれに限定されない。例えば、可動ベース６４は、センサモジュール６３のセンサベース７２と一体に構成されていてもよい。
【０１１３】
即ち、上述した各実施形態は、あらゆる点において本発明の例示に過ぎない。本発明の範囲を逸脱することなく種々の改良や変形を行うことができることは言うまでもない。つまり、本発明の実施にあたって、実施形態に応じた具体的構成が適宜採用されてもよい。
【符号の説明】
【０１１４】
１…血圧測定装置、４…装置本体、５…センサ装置、１１…本体ケース、１２…操作部、１３…表示部、１４…ポンプ、１４ａ…チューブ、１５…制御基板、１５ａ…ケーブル、１６…本体固定具、２１…釦、３１…通信部、３２…記憶部、３３…制御部、４１…アタッチ部、４１Ａ…第１アタッチ部、４１Ｂ…第２アタッチ部、４１ａ…基部、４１ｂ…開口部、４１ｃ…取付部、４１ｄ…クッション、４２…センシング本体、４３…固定具、５１…ケース、５１ａ…回転軸、５１ｂ…係合部、５１ｃ…第１孔部、５１ｄ…第２孔部、５１ｅ…第３孔部、５１ｆ…案内溝、５１ｆ１…第１溝、５１ｆ２…第２溝、５２…センサユニット、５３…調整手段、５３ｂ…目盛、５３ｃ…指示部、６１…可動ケース、６１ａ…案内突起、６１ｂ…固定部、６２…空気袋、６３…センサモジュール、６４…可動ベース、７１…圧力センサ部、７１ａ…フレキシブル基板、７１ｂ…基板、７１ｃ…感圧素子、７１ｄ…感圧素子列、７２…センサベース、７３…センサヘッドカバー、７３ａ…開口、７４…軟質部、１００…手首、１００Ａ…左手首、１００Ｂ…右手首、１１０…橈骨動脈、１１１…橈骨、１１２…尺骨動脈、１１３…尺骨、１１４…腱。
【図１】
2019201984.tif 000003
【図２】
2019201984.tif 000004
【図３】
2019201984.tif 000005
【図４】
2019201984.tif 000006
【図５】
2019201984.tif 000007
【図６】
2019201984.tif 000008
【図７】
2019201984.tif 000009
【図８】
2019201984.tif 000010
【図９】
2019201984.tif 000011
【図１０】
2019201984.tif 000012
【図１１】
2019201984.tif 000013
【図１２】
2019201984.tif 000014
【図１３】
2019201984.tif 000015
【図１４】
2019201984.tif 000016
【図１５】
2019201984.tif 000017
【図１６】
2019201984.tif 000018
【図１７】
2019201984.tif 000019
【図１８】
2019201984.tif 000020
【図１９】
2019201984.tif 000021
【図２０】
2019201984.tif 000022
【図２１】
2019201984.tif 000023
【図２２】
2019201984.tif 000024
【図２３】
2019201984.tif 000025
【図２４】
2019201984.tif 000026
【図２５】
2019201984.tif 000027
【図２６】
2019201984.tif 000028
【図２７】
2019201984.tif 000029
【図２８】
2019201984.tif 000030